(57)【要約】【課題】一定条件下に、所定のアクセスポイント又は認証サーバに対して負荷を低減することができる電子機器、制御方法及びプログラムを提供すること。【解決手段】ディスプレイ２Ａと、第１の規格に準拠する通信方式を用いて通信を行う第１通信部２１と、第２の規格に準拠する通信方式を用いて通信を行う第２通信部２２と、制御部２３とを備える。制御部２３は、第１通信部２１によりブロードキャスト通信を受信し、ディスプレイ２Ａをオフ状態からオン状態に遷移させた場合、第２通信部２２により所定のアクセスポイント又は認証サーバに対する認証処理を行わないように制御する。【選択図】図３
2014049849.tif 000002
【特許請求の範囲】
【請求項１】
表示部と、
第１の規格に準拠する通信方式を用いて通信を行う第１通信部と、
第２の規格に準拠する通信方式を用いて通信を行う第２通信部と、
制御部とを備え、
前記制御部は、前記第１通信部によりブロードキャスト通信を受信し、前記表示部をＯＦＦ状態からＯＮ状態に遷移させた場合、前記第２通信部により所定のアクセスポイント又は認証サーバに対する認証処理を行わないように制御する電子機器。
【請求項２】
表示部と、
第１の規格に準拠する通信方式を用いて通信を行う第１通信部と、
第２の規格に準拠する通信方式を用いて通信を行う第２通信部と、
制御部と、
前記第２通信部の設定を行う設定部とを備え、
前記制御部は、前記第１通信部によりブロードキャスト通信を受信し、前記表示部をＯＦＦ状態からＯＮ状態に遷移させた場合において、前記設定部により前記第２通信部が所定のアクセスポイント又は認証サーバに対する認証処理を行うよう設定がされている場合には、当該設定を無効にする電子機器。
【請求項３】
表示部と、
第１の規格に準拠する通信方式を用いて通信を行う第１通信部と、
第２の規格に準拠する通信方式を用いて通信を行う第２通信部と、
制御部と、
所定のアクセスポイントを記憶する記憶部とを備え、
前記制御部は、前記第１通信部によりブロードキャスト通信を受信し、前記表示部をＯＦＦ状態からＯＮ状態に遷移させた場合、前記第２通信部によりアクセスポイントのサーチを行い、当該アクセスポイントが前記記憶部に記憶されているアクセスポイントである場合には、当該アクセスポイントに対してアクセスを行わないように制御する電子機器。
【請求項４】
第１の規格に準拠する通信方式を用いて通信を行う第１通信工程によりブロードキャスト通信を受信する受信工程と、
前記受信工程により前記ブロードキャスト通信を受信した場合に、表示部をＯＦＦ状態からＯＮ状態に遷移させる遷移工程と、
前記遷移工程により前記表示部をＯＦＦ状態からＯＮ状態に遷移した場合に、第２の規格に準拠する通信方式を用いて通信を行う第２通信部により所定のアクセスポイント又は認証サーバに対する認証処理を行わないように制御する制御工程を備える制御方法。
【請求項５】
第１の規格に準拠する通信方式を用いて通信を行う第１通信工程によりブロードキャスト通信を受信する受信工程と、
前記受信工程により前記ブロードキャスト通信を受信した場合に、表示部をＯＦＦ状態からＯＮ状態に遷移させる遷移工程と、
前記遷移工程により前記表示部をＯＦＦ状態からＯＮ状態に遷移した場合に、第２の規格に準拠する通信方式を用いて通信を行う第２通信部により所定のアクセスポイント又は認証サーバに対する認証処理を行わないように制御する制御工程をコンピュータに実行させるためのプログラム。
【発明の詳細な説明】
【技術分野】
【０００１】
本発明は、通信機能により通信を行う電子機器、制御方法及びプログラムに関する。
【背景技術】
【０００２】
電子機器は、ＩＥＥＥ８０２．１１等に準拠した通信方式による無線ＬＡＮを利用して、インターネットに接続する機能を有している。
このような電子機器は、アクセスポイントをサーチした結果、自装置に登録済みのアクセスポイントと同一のＳＳＩＤ（Ｓｅｒｖｉｃｅ  Ｓｅｔ  Ｉｄｅｎｔｉｆｉｅｒ）を有するアクセスポイントが発見された場合、自動的にこのアクセスポイントへの接続を試みる（例えば、特許文献１参照）。
【先行技術文献】
【特許文献】
【０００３】
【特許文献１】特開２００９−１７５７５号公報
【発明の概要】
【発明が解決しようとする課題】
【０００４】
これらの電子機器は、緊急地震速報等のブロードキャスト通信を受信する機能を有している。ブロードキャスト通信とは、同時に複数の電子機器に対して一斉に配信される通信である。
【０００５】
ここで、電子機器は、ブロードキャスト通信を受信すると、一定条件下に、無線ＬＡＮの機能によりアクセスポイントを経由して、ネットワーク内の認証サーバに対して認証処理を行うことで、ネットワークへの接続を行なう。一方、アクセスポイント又は認証サーバは、多くの電子機器から同時に接続又は認証要求があった場合、負荷が増大し、輻輳が生じてしまう。
【０００６】
本発明は、一定条件下に、ブロードキャスト通信を受信した場合に、所定のアクセスポイント又は認証サーバに対して負荷を低減するように制御する電子機器、制御方法及びプログラムを提供することを目的とする。
【課題を解決するための手段】
【０００７】
本発明に係る電子機器は、表示部と、第１の規格に準拠する通信方式を用いて通信を行う第１通信部と、第２の規格に準拠する通信方式を用いて通信を行う第２通信部と、制御部とを備え、前記制御部は、前記第１通信部によりブロードキャスト通信を受信し、前記表示部をＯＦＦ状態からＯＮ状態に遷移させた場合、前記第２通信部により所定のアクセスポイント又は認証サーバに対する認証処理を行わないように制御する構成である。
【０００８】
本発明に係る電子機器は、表示部と、第１の規格に準拠する通信方式を用いて通信を行う第１通信部と、第２の規格に準拠する通信方式を用いて通信を行う第２通信部と、制御部と、前記第２通信部の設定を行う設定部とを備え、前記制御部は、前記第１通信部によりブロードキャスト通信を受信し、前記表示部をＯＦＦ状態からＯＮ状態に遷移させた場合において、前記設定部により前記第２通信部が所定のアクセスポイント又は認証サーバに対する認証処理を行うよう設定がされている場合には、当該設定を無効にする構成である。
【０００９】
本発明に係る電子機器は、表示部と、第１の規格に準拠する通信方式を用いて通信を行う第１通信部と、第２の規格に準拠する通信方式を用いて通信を行う第２通信部と、制御部と、所定のアクセスポイントを記憶する記憶部とを備え、前記制御部は、前記第１通信部によりブロードキャスト通信を受信し、前記表示部をＯＦＦ状態からＯＮ状態に遷移させた場合、前記第２通信部によりアクセスポイントのサーチを行い、当該アクセスポイントが前記記憶部に記憶されているアクセスポイントである場合には、当該アクセスポイントに対してアクセスを行わないように制御する構成である。
【００１０】
本発明に係る制御方法は、第１の規格に準拠する通信方式を用いて通信を行う第１通信工程によりブロードキャスト通信を受信する受信工程と、前記受信工程により前記ブロードキャスト通信を受信した場合に、表示部をＯＦＦ状態からＯＮ状態に遷移させる遷移工程と、前記遷移工程により前記表示部をＯＦＦ状態からＯＮ状態に遷移した場合に、第２の規格に準拠する通信方式を用いて通信を行う第２通信部により所定のアクセスポイント又は認証サーバに対する認証処理を行わないように制御する制御工程を備える構成である。
【００１１】
本発明に係るプログラムは、第１の規格に準拠する通信方式を用いて通信を行う第１通信工程によりブロードキャスト通信を受信する受信工程と、前記受信工程により前記ブロードキャスト通信を受信した場合に、表示部をＯＦＦ状態からＯＮ状態に遷移させる遷移工程と、前記遷移工程により前記表示部をＯＦＦ状態からＯＮ状態に遷移した場合に、第２の規格に準拠する通信方式を用いて通信を行う第２通信部により所定のアクセスポイント又は認証サーバに対する認証処理を行わないように制御する制御工程をコンピュータに実行させるものである。
【発明の効果】
【００１２】
本発明によれば、一定条件下に、所定のアクセスポイント又は認証サーバに対して負荷を低減することができる。
【図面の簡単な説明】
【００１３】
【図１】実施形態に係るスマートフォンの外観を示す斜視図である。
【図２】実施形態に係るスマートフォンの外観を示す背面図である。
【図３】スマートフォンの第１の構成を示すブロック図である。
【図４】スマートフォンの第２の構成を示すブロック図である。
【図５】第２の構成に係るスマートフォンの動作についての説明に供するフローチャートである。
【図６】スマートフォンの第３の構成を示すブロック図である。
【図７】第３の構成に係るスマートフォンの動作についての説明に供するフローチャートである。
【図８】第３の構成に係るスマートフォンの動作についての説明に供するフローチャートである。
【発明を実施するための形態】
【００１４】
本発明を実施するための実施形態を、図面を参照しつつ詳細に説明する。以下では、電子機器の一例として、スマートフォンについて説明する。
【００１５】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１６】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１７】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００１８】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１９】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２０】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２１】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２２】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２３】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２４】
照度センサ４は、照度を検出する。例えば、照度とは、光の強さ、明るさ、輝度等である。照度センサ４は、例えば、ディスプレイ２Ａの輝度の調整に用いられる。
【００２５】
近接センサ５は、近隣の物体の存在を非接触で検出する。近接センサ５は、例えば、タッチスクリーンディスプレイ２が顔に近付けられたことを検出する。
【００２６】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００２７】
カメラ１２は、フロントフェイス１Ａに面している物体を撮影するインカメラである。カメラ１３は、バックフェイス１Ｂに面している物体を撮影するアウトカメラである。
【００２８】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００２９】
ここで、上述のように構成されるスマートフォン１は、ブロードキャスト通信を受信できる機能と、アクセスポイントに対してＩＥＥＥ８０２．１１（無線ＬＡＮ）によりアクセスする機能を有している。ブロードキャスト通信とは、緊急地震速報、及び災害発生時避難情報等の情報を、複数の端末に対して一斉に配信するサービスのことである。
【００３０】
アクセスポイントには、公共無線ＬＡＮアクセスポイントと、非公共無線ＬＡＮアクセスポイントがある。
【００３１】
公共無線ＬＡＮアクセスポイントとは、主に、駅及び店舗等に設置されており、店舗等が所有するものをいう。非公共無線ＬＡＮアクセスポイントとは、主に、ユーザの自宅等に設置されており、ユーザが所有するものをいう。よって、公共無線ＬＡＮアクセスポイントは、非公共無線ＬＡＮアクセスポイントと比較して、不特定多数の通信端末からアクセスを受ける環境にある。
【００３２】
スマートフォン１は、公共無線ＬＡＮアクセスポイント又は非公共無線ＬＡＮアクセスポイントに接続されている状態（以下、無線ＬＡＮ接続状態という）において、ディスプレイ２ＡがＯＦＦ状態になると、所定時間経過後に、公共無線ＬＡＮアクセスポイント又は非公共無線ＬＡＮアクセスポイントから切断されている状態（以下、無線ＬＡＮ切断状態という。）に遷移する。
【００３３】
なお、無線ＬＡＮ接続状態とは、認証サーバによる認証が完了しており、メールの送受信及びインターネットの使用が可能な状態をいう。無線ＬＡＮ切断状態とは、アクセスポイントの圏外等の理由により、認証サーバによる認証が完了しておらず、メールの送受信及びインターネットの使用が不可能な状態をいう。
【００３４】
また、スマートフォン１は、無線ＬＡＮ切断状態において、ディスプレイ２ＡがＯＮ状態に遷移すると、公共無線ＬＡＮアクセスポイント又は非公共無線ＬＡＮアクセスポイントに対してスキャンを開始し、無線ＬＡＮ接続状態になる。
ここで、ユーザによる操作以外に、ブロードキャスト通信を受信した場合でも、ディスプレイ２ＡがＯＮ状態に遷移する。
【００３５】
そうすると、公共無線ＬＡＮアクセスポイントの付近に複数の通信端末があり、ブロードキャスト通信の配信に起因して、これらの通信端末のディスプレイが一斉にＯＮ状態に遷移すると、認証サーバへのアクセスが集中し、処理が輻輳してしまう。結果として、これらの通信端末は、ネットワークエントリに失敗するばかりか、認証サーバが故障する事態を引き起こす可能性がある。
【００３６】
スマートフォン１は、上述のような事態を回避するために、ディスプレイ２ＡがＯＮ状態に遷移しても、無線ＬＡＮアクセスポイントに対してスキャンをしないように制御することが考えられる。しかし、このような制御をしてしまうと、スマートフォン１は、公共無線ＬＡＮアクセスポイントだけでなく、上述のような事態が生じない非公共無線ＬＡＮアクセスポイントに対してもアクセスを制限してしまう。よって、スマートフォン１は、自宅においても、ブロードキャスト通信を受信した直後に、無線ＬＡＮを利用した情報取得が行えない問題がある。
【００３７】
本実施例に係るスマートフォン１は、一定条件下に、ブロードキャスト通信を受信した場合に、所定のアクセスポイントに対して負荷を与えないように制御する。以下に、具体的な構成について説明する。
【００３８】
スマートフォン１は、図３に示すように、ディスプレイ２Ａと、第１通信部２１と、第２通信部２２と、制御部２３とを備える。
【００３９】
第１通信部２１は、第１の規格に準拠する通信方式を用いて通信を行う。例えば、第１通信部２１は、第１の規格として、２Ｇ、３Ｇ、４Ｇ等のセルラーフォンの通信規格に対応している。セルラーフォンの通信規格としては、ＬＴＥ（Ｌｏｎｇ  Ｔｅｒｍ  Ｅｖｏｌｕｔｉｏｎ）（登録商標）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）（登録商標）等がある。
【００４０】
第２通信部２２は、第２の規格に準拠する通信方式を用いて通信を行う。例えば、第２通信部２２は、第２の規格として、ＩＥＥＥ８０２．１１（無線ＬＡＮ）に対応している。
【００４１】
制御部２３は、第１通信部２１によりブロードキャスト通信を受信し、ディスプレイ２ＡをＯＦＦ状態からＯＮ状態に遷移させた場合、第２通信部２２により所定のアクセスポイントに対して、又は所定のアクセスポイントを介してネットワーク内の認証サーバに対して認証の要求をしないように制御する。なお、本実施例では、所定のアクセスポイントとは、公共無線ＬＡＮアクセスポイントをいう。
【００４２】
このようにして、スマートフォン１は、第１通信部２１によりブロードキャスト通信を受信し、ディスプレイ２ＡをＯＦＦ状態からＯＮ状態に遷移させても、所定のアクセスポイントである公共無線ＬＡＮアクセスポイントに対して、又は所定のアクセスポイントを介してネットワーク内の認証サーバに対して認証の要求をしないので、ブロードキャスト通信を受信した場合に、所定のアクセスポイント又は認証サーバに対する負荷を低減するように制御することができる。
【００４３】
スマートフォン１は、図４に示すように、ディスプレイ２Ａと、第１通信部２１と、第２通信部２２と、制御部２３と、設定部２４とを備える。なお、ディスプレイ２Ａ、第１通信部２１及び第２通信部２２の構成と動作は、上述の通りである。
【００４４】
設定部２４は、第２通信部２２の動作を有効又は無効にする設定を行う。具体的には、設定部２４は、公共無線ＬＡＮアクセスポイントに対して認証の要求を行う機能を有効又は無効に設定、及び非公共無線ＬＡＮアクセスポイントに対して認証の要求を行う機能を有効又は無効に設定する。なお、設定部２４は、上述に限定されず、公共無線ＬＡＮアクセスポイントのサーチを行う機能を有効又は無効に設定、及び非公共無線ＬＡＮアクセスポイントのサーチを行う機能を有効又は無効に設定してもよい。
【００４５】
制御部２３は、第１通信部２１によりブロードキャスト通信を受信し、ディスプレイ２ＡをＯＦＦ状態からＯＮ状態に遷移させた場合において、設定部２４により第２通信部２２が所定のアクセスポイント又は認証サーバに対する認証処理を行うよう設定（有効の設定）が行われている場合には、有効の設定を無効にする。
【００４６】
ここで、スマートフォン１の動作について、図５に示すフローチャートを参照しながら説明する。なお、以下では、ブロードキャスト通信は、緊急地震速報であるとする。また、所定のアクセスポイントに対する負荷を軽減するものとして説明するが、これに限られず、所定の認証サーバに対する負荷を軽減するものでもよい。
ステップＳＴ１において、制御部２３は、緊急地震速報の受信に起因して、ディスプレイ２ＡがＯＮ状態に遷移したかどうかを判断する。ディスプレイ２ＡがＯＮ状態に遷移したと判断した場合（Ｙｅｓ）には、ステップＳＴ２に進み、ディスプレイ２ＡがＯＮ状態に遷移していない、すなわち、ディスプレイ２ＡがＯＦＦ状態である判断した場合（Ｎｏ）には、ステップＳＴ１を繰り返す。なお、ディスプレイ２ＡがＯＮ状態に遷移した場合には、ディスプレイ２Ａには、緊急地震速報が表示される。また、スマートフォン１は、緊急地震速報を受信したときに、所定の警告音を出力する構成でもよい。
【００４７】
ステップＳＴ２において、制御部２３は、第２通信部２２により無線ＬＡＮ接続状態であるかどうかを判断する。無線ＬＡＮ接続状態ではないと判断した場合（Ｎｏ）には、ステップＳＴ３に進み、無線ＬＡＮ接続状態であると判断した場合（Ｙｅｓ）には、処理を終了する。これは、無線ＬＡＮ接続状態の場合には、すでに、認証サーバによる認証が完了しており、認証サーバに対して負荷を与えないからである。
【００４８】
ステップＳＴ３において、制御部２３は、設定部２４により第２通信部２２が公共無線ＬＡＮアクセスポイントに対して認証の要求を行う旨の設定（有効の設定）がされているかどうかを判断する。有効の設定がされていると判断した場合（Ｙｅｓ）には、ステップＳＴ４に進み、有効の設定がされていない、すなわち、無効の設定がされていると判断した場合（Ｎｏ）には、ステップＳＴ５に進む。
【００４９】
ステップＳＴ４において、制御部２３は、公共無線ＬＡＮアクセスポイントに対して認証の要求を行う旨の設定（有効の設定）を無効に変更する。なお、制御部２３は、設定を有効から無効に一時的に変更したことを情報として記憶しておく。
【００５０】
ステップＳＴ５において、制御部２３は、設定部２４の設定にしたがって制御する。すなわち、制御部２３は、非公共無線ＬＡＮアクセスポイントに対して認証の要求を行う機能が有効に設定されている場合には、非公共無線ＬＡＮアクセスポイントに対してスキャンを行い、認証後にネットワークへの接続を行う。
【００５１】
ステップＳＴ６において、制御部２３は、ディスプレイ２ＡがＯＮ状態に遷移した後、ユーザにより操作が行われなかった場合、ディスプレイ２ＡがＯＮ状態に遷移してから所定時間が経過後に、ディスプレイ２ＡをＯＦＦ状態に遷移する。
【００５２】
ステップＳＴ７において、制御部２３は、ステップＳＴ４の工程により、公共無線ＬＡＮアクセスポイントに対して認証の要求を行う旨の設定（有効の設定）を無効にしたかどうかを判断する。無効にした場合（Ｙｅｓ）には、ステップＳＴ８に進み、無効にしていない場合（Ｎｏ）には、処理を終了する。具体的には、制御部２３は、ステップＳＴ４の工程により記憶した情報を参照して、設定を有効から無効に一時的に変更したかどうかを判断する。
【００５３】
ステップＳＴ８において、制御部２３は、公共無線ＬＡＮアクセスポイントに対して認証の要求を行う旨の設定（有効の設定）に再び変更する。なお、本工程では、設定を有効に戻すだけであり、公共無線ＬＡＮアクセスポイントに対して認証の要求を行うものではない。
【００５４】
このようにして、スマートフォン１は、第１通信部２１によりブロードキャスト通信を受信し、ディスプレイ２ＡをＯＦＦ状態からＯＮ状態に遷移させた場合において、公共無線ＬＡＮアクセスポイントに対する接続について制限を行うが、非公共無線ＬＡＮアクセスポイントに対する接続については制限を行わない。よって、スマートフォン１は、公共無線ＬＡＮアクセスポイントに対して負荷を低減することができ、かつ、自宅においては、ブロードキャスト通信を受信した直後に、無線ＬＡＮを利用した情報取得を行うことができる。
なお、スマートフォン１は、所定の認証サーバに対する負荷も軽減することができる。
【００５５】
スマートフォン１は、図６に示すように、ディスプレイ２Ａと、第１通信部２１と、第２通信部２２と、制御部２３と、記憶部２５とを備える。なお、ディスプレイ２Ａ、第１通信部２１及び第２通信部２２の構成と動作は、上述の通りである。
記憶部２５は、所定のアクセスポイント、すなわち、公共無線ＬＡＮアクセスポイントを記憶する。具体的には、記憶部２５は、公共無線ＬＡＮアクセスポイントに設定されているＳＳＩＤ（Ｓｅｒｖｉｃｅ  Ｓｅｔ  Ｉｄｅｎｔｉｆｉｅｒ）が記されたリストを記憶する。
【００５６】
ＳＳＩＤとは、無線ＬＡＮのアクセスポイントを識別するための識別子であり、任意の英数字により設定される。なお、ＳＳＩＤに限定されず、ＥＳＳＩＤ又はＢＳＳＩＤ等であってもよい。公共無線ＬＡＮアクセスポイントに設定されているＳＳＩＤは、同じ英数字で構成されていてもよいし、異なる英数字で構成されていてもよい。
【００５７】
制御部２３は、第１通信部２１によりブロードキャスト通信を受信し、ディスプレイ２ＡをＯＦＦ状態からＯＮ状態に遷移させた場合、第２通信部２２によりアクセスポイントのサーチを行い、当該アクセスポイントが記憶部２５に記憶されているアクセスポイントである場合には、当該アクセスポイントに対してアクセスを行わないように制御する。
【００５８】
例えば、公共無線ＬＡＮアクセスポイントのＳＳＩＤが「０１」で統一されている場合には、記憶部２５に記憶されているリストには、「０１」→「公共無線ＬＡＮアクセスポイント」と表されている。制御部２３は、サーチしたアクセスポイントのＳＳＩＤを確認し、「０１」であれば、記憶部２５に記憶されているリストを参照し、当該アクセスポイントが公共無線ＬＡＮアクセスポイントであると認識する。
【００５９】
ここで、スマートフォン１の動作について、図７に示すフローチャートを参照しながら説明する。なお、以下では、ブロードキャスト通信は、緊急地震速報であるとする。
まず、スマートフォン１は、記憶部２５に記憶させるためのリストＬ３を作成する。
【００６０】
ステップＳＴ１１において、制御部２３は、無線ＬＡＮアクセスポイントに対して認証の要求を行い、認証が成功し、ネットワークへの接続が成功したかどうかを判断する。接続ができた場合（Ｙｅｓ）には、ステップＳＴ１２に進み、接続ができない場合（Ｎｏ）には、ステップＳＴ１１を繰り返す。
【００６１】
ステップＳＴ１２において、制御部２３は、リストＬ１を参照して、ステップＳＴ１１の工程により利用した無線ＬＡＮアクセスポイントが初めてのアクセスポイントかどうかを判断する。なお、リストＬ１は、記憶部２５に記憶されており、スマートフォン１によりネットワークへの接続が成功した場合、その無線ＬＡＮアクセスポイントのＳＳＩＤが記憶されているリストである。
初めてのアクセスポイントである場合には、ステップＳＴ１３に進み、初めてのアクセスポイントではない場合には、処理を終了する。
【００６２】
ステップＳＴ１３において、制御部２３は、ステップＳＴ１１の工程により利用した無線ＬＡＮアクセスポイントが公共無線ＬＡＮアクセスポイントかどうかを判断する。なお、当該判断は、ユーザが行ってもよいし、公共無線ＬＡＮアクセスポイントのＳＳＩＤが記憶されたリストＬ２を参照して行ってもよい。後者の場合には、リストＬ２は、記憶部２５に記憶されており、例えば、ネットワーク経由で定期的にサーバからダウンロードされるものである。
公共無線ＬＡＮアクセスポイントであると判断した場合（Ｙｅｓ）には、ステップＳＴ１４に進み、公共無線ＬＡＮアクセスポイントではないと判断した場合（Ｎｏ）には、処理を終了する。
【００６３】
ステップＳＴ１４において、制御部２３は、公共無線ＬＡＮアクセスポイントのＳＳＩＤをリストＬ３に追加する。リストＬ３には、スマートフォン１によりネットワークへの接続が成功した公共無線ＬＡＮアクセスポイントのＳＳＩＤがすべて記録されている。
【００６４】
つぎに、スマートフォン１は、図８に示すフローチャートを参照しながら、一定条件下に、作成されたリストＬ３を参照しながら、アクセスポイントに対してアクセスを行う動作について説明する。
【００６５】
ステップＳＴ２１において、制御部２３は、緊急地震速報の受信に起因して、ディスプレイ２ＡがＯＮ状態に遷移したかどうかを判断する。ディスプレイ２ＡがＯＮ状態に遷移したと判断した場合（Ｙｅｓ）には、ステップＳＴ２２に進み、ディスプレイ２ＡがＯＮ状態に遷移していない、すなわち、ディスプレイ２ＡがＯＦＦ状態である判断した場合（Ｎｏ）には、ステップＳＴ２１を繰り返す。なお、ディスプレイ２ＡがＯＮ状態に遷移した場合には、ディスプレイ２Ａには、緊急地震速報が表示される。また、スマートフォン１は、緊急地震速報を受信したときに、所定の警告音を出力する構成でもよい。
【００６６】
ステップＳＴ２２において、制御部２３は、第２通信部２２により無線ＬＡＮ接続状態であるかどうかを判断する。無線ＬＡＮ接続状態ではないと判断した場合（Ｎｏ）には、ステップＳＴ２３に進み、無線ＬＡＮ接続状態であると判断した場合（Ｙｅｓ）には、処理を終了する。これは、無線ＬＡＮ接続状態の場合には、すでに、認証サーバによる認証が完了しており、認証サーバに対して負荷を与えないからである。
【００６７】
ステップＳＴ２３において、制御部２３は、アクセスポイントのスキャンを行い、ＲＳＳＩ（Ｒｅｃｅｉｖｅｄ  Ｓｉｇｎａｌ  Ｓｔｒｅｎｇｔｈ  Ｉｎｄｉｃａｔｉｏｎ、受信電界強度）値の最も高いアクセスポイントのＳＳＩＤがリストＬ３に登録されているかどうかを判断する。リストＬ３に登録されている、すなわち、公共無線ＬＡＮアクセスポイントであると判断した場合（Ｙｅｓ）には、ステップＳＴ２６に進み、リストＬ３に登録されていないと判断した場合（Ｎｏ）には、ステップＳＴ２４に進む。
【００６８】
ステップＳＴ２４において、制御部２３は、ネットワークへの接続処理を実行する。
ステップＳＴ２５において、制御部２３は、ネットワークへの接続が成功したかどうかを判断する。ネットワークへの接続が成功したと判断した場合（Ｙｅｓ）には、処理を終了し、ネットワークへの接続が成功しなかったと判断した場合（Ｎｏ）には、ステップＳＴ２６に進む。
【００６９】
ステップＳＴ２６において、制御部２３は、他のアクセスポイントを選択する。具体的には、制御部２３は、ステップＳＴ２３の工程により計測したＲＳＳＩ値が次に高いアクセスポイントを選択する。なお、ステップＳＴ２３の工程へ進んだ後は、選択したアクセスポイントがリストＬ３に登録されているかどうかを判断し、処理が終了するまで、ステップＳＴ２３からステップＳＴ２６の工程を繰り返す。
【００７０】
このようにして、スマートフォン１は、第１通信部２１によりブロードキャスト通信を受信し、ディスプレイ２ＡをＯＦＦ状態からＯＮ状態に遷移させた場合において、リストＬ３を参照して、公共無線ＬＡＮアクセスポイントに対する接続について制限を行うが、非公共無線ＬＡＮアクセスポイントに対する接続については制限を行わない。よって、スマートフォン１は、公共無線ＬＡＮアクセスポイントに対して負荷を与えず、かつ、自宅においては、ブロードキャスト通信を受信した直後に、無線ＬＡＮを利用した情報取得を行うことができる。
【００７１】
なお、上述では、一定条件下に、作成されたリストＬ３を参照しながら、アクセスポイントに対してアクセスを行う動作について説明したがこれに限られない。
例えば、ステップＳＴ１１からステップＳＴ１４の工程を不要とし、リストＬ３を作成しなくてもよい。この場合には、スマートフォン１は、記憶部２５に記憶されているリストＬ２を参照しながら、アクセスポイントに対してアクセスを行う。
【００７２】
具体的には、ステップＳＴ２３の工程において、制御部２３は、アクセスポイントのスキャンを行い、ＲＳＳＩ値の最も高いアクセスポイントのＳＳＩＤがリストＬ２に登録されているかどうかを判断する。
【００７３】
また、本実施例では、主にスマートフォンの構成と動作について説明したが、これに限られず、各構成要素を備え、一定条件下に、ブロードキャスト通信を受信した場合に、所定のアクセスポイント又は認証サーバに対する認証処理を行わないように制御するための制御方法、及びプログラムとして構成されてもよい。
【００７４】
さらに、スマートフォンの機能を実現するためのプログラムをコンピュータで読み取り可能な記録媒体に記録して、この記録媒体に記録されたプログラムをコンピュータシステムに読み込ませ、実行することによって実現してもよい。
【００７５】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７６】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００７７】
１  スマートフォン
２Ａ  ディスプレイ
２１  第１通信部
２２  第２通信部
２３  制御部
２４  設定部
２５  記憶部
【図１】
2014049849.tif 000003
【図２】
2014049849.tif 000004
【図３】
2014049849.tif 000005
【図４】
2014049849.tif 000006
【図５】
2014049849.tif 000007
【図６】
2014049849.tif 000008
【図７】
2014049849.tif 000009
【図８】
2014049849.tif 000010